(57)【要約】【課題】通信サービスを受けるユーザが通信相手に基本契約番号を知られることなく、テンポラリ番号による通信を行う際に、通信相手を限定することで、安心感のある通信を実現する。【解決手段】通信サービスを受けるユーザ１０が複数のテンポラリ番号を持つグループを作り、そのグループ内でのみテンポラリ番号による通信が可能となる。グループ情報管理装置３０によりグループＩＤとグループに所属するユーザのテンポラリ番号を管理するグループ情報を管理し、加入者情報管理装置４０のテンポラリ番号管理機能４１によりテンポラリ番号の払い出しを行う。【選択図】図１
2007221592.tif 000002
【特許請求の範囲】
【請求項１】
グループ情報を管理するグループ情報管理装置と、通信端末のユーザのテンポラリ番号および基本契約番号を管理する加入者情報管理装置とを含むグループ情報管理システムにおいて、
前記グループ情報管理装置にて、前記通信端末のグループを新規に作成したいユーザが親となり、当該親のユーザ操作にて新たなグループを作成する新規グループ作成システムを有し、その新規グループに対してグループＩＤを割り当て、当該親が子の入会管理を行うグループ情報管理システム。
【請求項２】
請求項１に記載のグループ情報管理システムにおいて、前記グループ情報管理装置にて、あるグループに対して子が加入したい場合、当該子は親から伝えられたグループＩＤを指定して加入可能とする加入システムと、当該子が呼制御装置を介して前記加入者情報管理装置に対して、テンポラリ番号の払い出し要求を行い、払い出されたテンポラリ番号を加入するグループＩＤに登録する登録システムとを有するグループ情報管理システム。
【請求項３】
請求項１に記載のグループ情報管理システムにおいて、子がグループに加入したい場合、親から伝えられたグループＩＤを指定して加入可能とする加入システムと、親が設定可能なオプション機能として認証情報を設定し、当該認証情報としてパスワードを設定可能とする認証システムとを有するグループ情報管理システム。
【請求項４】
テンポラリ番号の発着信を行う際に、発側通信端末から発信すると、当該発側通信端末の呼を制御する発側呼制御装置と、前記発側呼制御装置を介して、発側および着側のテンポラリ番号から、所属するグループＩＤをそれぞれ導出するグループ情報管理装置とを有し、前記グループ情報管理装置は、発側グループＩＤと着側グループＩＤとが同一であることを判定し、この判定により発側グループＩＤと着側グループＩＤが同一であることが確認された場合に通話可能とするグループ内通信システム。
【請求項５】
子がグループから退会する場合に、当該子がグループ情報管理装置にて所属するグループＩＤを指定し、加入者情報管理装置に対してテンポラリ番号利用停止要求を行い、当該子のテンポラリ番号を利用停止にする第１の利用停止手段と、親がグループ情報管理装置にてグループＩＤを指定し、所属する子を一括して削除し、加入者情報管理装置にてその子のテンポラリ番号利用停止を行う第２の利用停止手段とを有するグループ退会システム。
【請求項６】
通信端末の親のみが新規グループ作成可能であり、グループ管理者として子のグループ加入を管理するグループ情報管理装置であって、
前記通信端末のユーザがグループに加入する際、加入者情報管理装置に対してテンポラリ番号払い出しを要求した後、払い出し番号を受信し、グループＩＤの元に当該テンポラリ番号を所属させる加入手段と、親のグループＩＤと子のグループＩＤとの一致判定を行う判定手段とを有するグループ情報管理装置。
【請求項７】
ユーザのグループ加入手続き要求を受けたグループ情報管理装置からテンポラリ番号払い出し要求を受ける加入者情報管理装置であって、テンポラリ番号を一定数プールするテンポラリ番号管理手段と、基本契約番号とテンポラリ番号のくくりつけを管理する基本契約番号管理手段とを有する加入者情報管理装置。
【請求項８】
通信端末のユーザのテンポラリ番号および基本契約番号とを用いてグループ情報を管理するグループ情報管理方法において、
前記通信端末のグループを新規に作成したいユーザが親となり、当該親のユーザ操作にて新たなグループを作成し、その新規グループに対してグループＩＤを割り当て、当該親が子の入会管理を行うグループ情報管理方法。
【発明の詳細な説明】
【技術分野】
【０００１】
この発明は、グループ通信システムに関し、特に、ユーザ同士が個人の基本契約番号を互いに知ることなく、テンポラリ番号を交換することで同一グループ内での通話が可能となるグループ情報管理システム、グループ情報管理装置、グループ情報管理方法、グループ内通信システム、およびグループ退会システムに関するものである。
【背景技術】
【０００２】
通信システムにおいては、互いに相手の基本契約番号に対して発着信を行うことが前提であるが、個人情報を知られずに通信したい場合は該当システムから一時的に払い出したテンポラリ番号を利用することで、それが可能となる。
しかしながら、従来技術ではその払い出されたテンポラリ番号にはどのユーザからも発信が可能であり、通信を望まないユーザからの発信も許容してしまうというセキュリティ上の問題があった。
【０００３】
この問題を解決するために、あるグループ内でのみ通信が可能なテンポラリ番号を払い出し、その所属するグループ以外からのテンポラリ番号への発信は規制するシステムが必要となる。
このため、特許文献１においては、基本契約番号に対応させた一時的な副電話番号を管理サーバから払い出し、副電話番号にて通信可能し、一時的に払い出された副電話番号は、他のどのユーザとも通信可能な装置が提案されている。
【０００４】
また、特許文献２には、グループ固有の情報をグループごとまたはエリアごとに提供し、さらに、その情報はグループ管理者によって自主的に変更、交信することができるグループ情報配信システムが提案されている。
さらに、特許文献３には、グループＩＤをキーとして情報のアクセス制御や暗号化を行うことにより、グループの階層に柔軟に対応して情報処理装置の情報を機密保護する情報記憶装置が提案されている。
【特許文献１】特開２００２‐５７８０２号公報
【特許文献２】特開２００１‐３３７９８３号公報
【特許文献３】特開２００４‐３８２２２号公報
【発明の開示】
【発明が解決しようとする課題】
【０００５】
しかしながら、上記特許文献１においては、払い出されたテンポラリ番号では他のどのユーザとも通信可能であり、特許文献２においては、データ管理部がグループＩＤを管理し、特許文献３においては、情報記憶装置がグループＩＤを管理しているので、通信を希望しないユーザからの着信が起こってしまう可能性がある。従って、いずれの従来技術においてもセキュリティの面で問題があった。
【０００６】
本発明は、上述した事情を鑑みてなされたものであって、この希望しないユーザからの着信を規制し、所属するグループ内でのみ通信可能とするグループ情報管理システム、グループ情報管理装置、グループ情報管理方法、グループ内通信システム、およびグループ退会システムを提供することを目的としている。
【課題を解決するための手段】
【０００７】
上記課題を解決するために、本発明の請求項１に記載のグループ情報管理システムは、グループ情報を管理するグループ情報管理装置と、通信端末のユーザのテンポラリ番号および基本契約番号を管理する加入者情報管理装置とを含むグループ情報管理システムにおいて、前記グループ情報管理装置にて、前記通信端末のグループを新規に作成したいユーザが親となり、当該親のユーザ操作にて新たなグループを作成する新規グループ作成システムを有し、その新規グループに対してグループＩＤを割り当て、当該親が子の入会管理を行う。したがって、親ユーザの作成したグループＩＤごとに子ユーザが所属することになる。
【０００８】
また、請求項２に記載のグループ情報管理システムは、請求項１に記載のグループ情報管理システムにおいて、前記グループ情報管理装置にて、あるグループに対して子が加入したい場合、当該子は親から伝えられたグループＩＤを指定して加入可能とする加入システムと、当該子が呼制御装置を介して前記加入者情報管理装置に対して、テンポラリ番号の払い出し要求を行い、払い出されたテンポラリ番号を加入するグループＩＤに登録する登録システムとを有する。
【０００９】
また、請求項３に記載のグループ情報管理システムは、請求項１に記載のグループ情報管理システムにおいて、子がグループに加入したい場合、親から伝えられたグループＩＤを指定して加入可能とする加入システムと、親が設定可能なオプション機能として認証情報を設定し、当該認証情報としてパスワードを設定可能とする認証システムとを有する。したがって、より安全性を高めたグループ管理を可能とする。
【００１０】
また、請求項４に記載のグループ内通信システムは、テンポラリ番号の発着信を行う際に、発側通信端末から発信すると、当該発側通信端末の呼を制御する発側呼制御装置と、前記発側呼制御装置を介して、発側および着側のテンポラリ番号から、所属するグループＩＤをそれぞれ導出するグループ情報管理装置とを有し、前記グループ情報管理装置は、発側グループＩＤと着側グループＩＤとが同一であることを判定し、この判定により発側グループＩＤと着側グループＩＤが同一であることが確認された場合に通話可能とする。
【００１１】
また、請求項５に記載のグループ退会システムは、子がグループから退会する場合に、当該子がグループ情報管理装置にて所属するグループＩＤを指定し、加入者情報管理装置に対してテンポラリ番号利用停止要求を行い、当該子のテンポラリ番号を利用停止にする第１の利用停止手段と、親がグループ情報管理装置にてグループＩＤを指定し、所属する子を一括して削除し、加入者情報管理装置にてその子のテンポラリ番号利用停止を行う第２の利用停止手段とを有する。
【００１２】
また、請求項６に記載のグループ情報管理装置は、通信端末の親のみが新規グループ作成可能であり、グループ管理者として子のグループ加入を管理するグループ情報管理装置であって、前記通信端末のユーザがグループに加入する際、加入者情報管理装置に対してテンポラリ番号払い出しを要求した後、払い出し番号を受信し、グループＩＤの元に当該テンポラリ番号を所属させる加入手段と、親のグループＩＤと子のグループＩＤとの一致判定を行う判定手段とを有する。
【００１３】
また、請求項７に記載の加入者情報管理装置は、ユーザのグループ加入手続き要求を受けたグループ情報管理装置からテンポラリ番号払い出し要求を受ける加入者情報管理装置であって、テンポラリ番号を一定数プールするテンポラリ番号管理手段と、基本契約番号とテンポラリ番号のくくりつけを管理する基本契約番号管理手段とを有する。
また、請求項８に記載のグループ情報管理方法は、通信端末のユーザのテンポラリ番号および基本契約番号とを用いてグループ情報を管理するグループ情報管理方法において、前記通信端末のグループを新規に作成したいユーザが親となり、当該親のユーザ操作にて新たなグループを作成し、その新規グループに対してグループＩＤを割り当て、当該親が子の入会管理を行う。
【発明の効果】
【００１４】
以上説明したように、従来、テンポラリ番号による通信において、これまではどのユーザからも発着信が可能であるが、希望しないユーザからの着信も許容してしまうため、安全性の面で問題があったが、本発明において、グループを新たに設け、所属するグループ内でのみ通信可能とすることで、安全性を高めた通信を実現することができる。
また、テンポラリ番号によるグループ内通信を可能とすることで、個人情報の秘匿性を高めた上でのグループ内通信が自由に行えることになり、通信の利便性も高まるという効果が得られる。
【００１５】
例えば、海岸清掃ボランティアに一時的に集まった人々が、本システムを利用することにより、自分の基本契約番号を相手に公開せずに、ボランティアグル一プ内においてボランティア実施時のみ通信可能となる。
【発明を実施するための最良の形態】
【００１６】
以下、図面を参照して、本発明の実施形態に係るグループ情報管理システムについて詳細に説明する。
なお、このグループ情報管理システムにおいては、新規グループ作成処理、グループ加入／テンポラリ番号払出処理、発着信処理、退会処理の各々を行うので、各処理システムに分けて順次説明していく。
【００１７】
［新規グループ作成システム］
まず、図１および図２を参照して、本発明の実施形態に係るグループ情報管理システムにおける新規グループ作成システムについて説明する。
図１は、本発明のグループ情報管理システムにおける新規グループ作成システムの構成を示すブロック図である。
新規グループ作成システム１は、通信端末（親ユーザ）１０が新規グループを作成するシステムであり、通信端末（親ユーザ）１０と、呼制御装置２０と、グループ情報管理装置３０と、加入者情報管理装置４０とから構成されている。呼制御装置２０、グループ情報管理装置３０、および加入者情報管理装置４０は、通信ネットワーク内に配置されている。
【００１８】
グループを作成する親ユーザの通信端末１０は、基本契約番号「０９０−９９９−…」を持つ。
呼制御装置２０は、通信端末（親ユーザ）１０からグループ作成要求を受ける。
グループ情報管理装置３０は、新規グループ作成を管理し、例えば、グループＩＤ＜Ａ２２２Ｘ＞、グループＩＤ＜Ａ３３３Ｘ＞、グループＩＤ＜Ａ１１１Ｘ＞などのグループＩＤを有し、オプション機能として、パスワードの追加設定を可能とする。
【００１９】
加入者情報管理装置４０は、加入者情報を管理し、テンポラリ番号管理部４１と、基本契約番号管理部４２とを有している。
図２は、本発明の新規グループ作成処理の手順を示すシーケンス図である。
この例は、呼制御装置２０からいったんグループ情報管理装置３０を経て加入者情報装置４０に対して親ユーザ登録要求を行い、親ユーザ登録を行った後に新規グループ作成を行うシーケンスを示す。
【００２０】
まず、親ユーザとなる通信端末１０から、呼制御装置２０に対して新規グループ作成要求を行い（ステップＳ１０１）、呼制御装置２０はグループ情報管理装置３０に対して新規グループ作成要求を行う（ステップＳ１０２）。グループ作成要求を受けたグループ情報管理装置３０は、発側通信端末の親ユーザ登録手続きを開始する（ステップＳ１０３）。グループ情報管理装置３０は加入者情報管理装置４０に対して親ユーザ登録要求を行い（ステップＳ１０４）、加入者情報管理装置４０にて発側通信端末の基本契約番号に対して親ユーザ登録処理を行う（ステップＳ１０５）。なおテンポラリ番号の払い出しも可とする。
【００２１】
次に、加入者情報管理装置４０からグループ情報管理装置３０に対して親ユーザ登録応答を送信し（ステップＳ１０６）、グループ情報管理装置３０にて新規にグループID＜A111X＞を払い出す（ステップＳ１０７）。またオプションとして、パスワード設定を可とする。グループ情報管理装置３０から呼制御装置２０に対してグループ作成完了応答を返信し（ステップＳ１０８）、呼制御装置２０も通信端末１０に対してグループ作成完了応答を返信する（ステップＳ１０９）。
［グループ加入／テンポラリ番号払出処理システム］
次に、図３〜図５を参照して、本発明の実施形態に係るグループ情報管理システムにおけるグループ加入／テンポラリ番号払出システムについて説明する。
【００２２】
図３は、本発明のグループ情報管理システムにおけるグループ加入／テンポラリ番号払出処理システムの構成を示すブロック図である。
グループ加入／テンポラリ番号払出システム２は、グループ加入およびテンポラリ番号の払出しを行うシステムであり、通信端末（子ユーザ）１３と、呼制御装置２０と、グループ情報管理装置３０と、加入者情報管理装置４０とから構成されている。呼制御装置２０、グループ情報管理装置３０、および加入者情報管理装置４０は、通信ネットワーク内に配置されている。
【００２３】
通信端末（子ユーザ）１３は、基本契約番号「０９０−１１１１−…」をあらかじめ持ち、テンポラリ番号の払い出しを要求する端末である。
呼制御装置２０は、通信の呼処理を行う通信ネットワークにおいて、通信端末（子ユーザ）１３との信号処理、グループ情報管理装置３０および加入者情報管理装置４０との信号処理を行い、呼制御を担う装置である。
【００２４】
グループ管理情報装置３０は、１つのグループＩＤごとに複数のテンポラリ番号を管理する装置である。例えば、新規ユーザのグループ加入前は、グループＩＤ＜Ａ１１１Ｘ＞、ユーザＡ１「０８０−１２３４…」、ユーザＡ２「０８０−２３４５…」であったものが、新規ユーザのグループへの加入完了後は、グループＩＤ＜Ａ１１１Ｘ＞、ユーザＡ１「０８０−１２３４…」、ユーザＡ２「０８０−２３４５…」、ユーザ３「０８０−３４５６…」となる。
【００２５】
加入者情報管理装置４０は、通信端末（子ユーザ）１３の加入者情報を管理する装置で、内部に基本契約番号管理部４２と、テンポラリ番号管理部４１とを持つ。
図４は、本発明のグループ情報管理システムによるグループ加入／テンポラリ番号払出処理の手順を示すシーケンス図である。この例は、グループ情報管理装置３０にてグループを指定した後、加入者情報管理装置４０に対してテンポラリ番号払出要求を行う場合のグループ加入およびテンポラリ番号の払い出し処理シーケンスを示す。
【００２６】
まず、基本契約番号「０９０−１１１１−…」を持つ通信端末（子ユーザ）１３は、呼制御装置２０に対してグループ加入手続き要求およびテンポラリ番号払い出し要求を行う（ステップＳ２０１）。その際の基本契約番号は「０９０−１１１１−…」、グループＩＤは＜Ａ１１１Ｘ＞で、必要に応じてパスワード情報を付加する。そして、呼制御装置２０は、その払い出し要求を中継し、グループ情報管理装置３０にグループ加入手続き要求を行う（ステップＳ２０２）。次に、グループ情報管理装置３０は、その要求を受け、通信端末（子ユーザ）１３が指定したグループＩＤ＜Ａ１１１Ｘ＞に対してテンポラリ番号追加処理（グループ加入手続き）を開始する（ステップＳ２０３）。その際、オプションとしてパスワードが設定されている場合は、追加でパスワードを指定する。
【００２７】
次に、グループ情報管理装置３０は、加入者情報管理装置４０に対してテンポラリ番号払い出し要求を行う（ステップＳ２０４）。そのテンポラリ番号要求を受けた加入者情報管理装置４０では、基本契約番号管理部４２からテンポラリ番号管理部４１に要求が渡され（ステップＳ２０５）、テンポラリ番号管理部４１により、テンポラリ番号「０８０−３４５６−…」の払い出しを行う（ステップＳ２０６）。次に、テンポラリ番号管理部４１から基本契約番号管理部４２に対して、テンポラリ番号の送信を行い（ステップＳ２０７）、基本契約番号管理部４２により、該当ユーザの基本契約番号「０９０−１１１１−…」とそのテンポラリ番号「０８０−３４５６−…」とをくくりつける（ステップＳ２０８）。次に、くくりつけを完了した基本契約番号管理部４２からグループ情報管理装置３０に対して、テンポラリ番号払い出し完了応答を行う（ステップＳ２１０）。
【００２８】
完了応答を受信したグループ情報管理装置３０は、グループＩＤへのテンポラリ番号の追加処理を行う（ステップＳ２１１）。この処理は、例えば、グループＩＤ＜Ａ１１１Ｘ＞に対してテンポラリ番号「０８０−３４５６−…」を追加する。そして、グループ情報管理装置３０から呼制御装置２０を中継し、通信端末（子ユーザ）１３に対して、テンポラリ番号払い出し完了通知を行い（ステップＳ２１２，Ｓ２１３）、グループ加入手続きを完了する。
【００２９】
図５は、本発明のグループ加入／テンポラリ番号払出処理の手順を示すシーケンス図である。この例は、加入者情報管理装置４０に対して番号払出要求を行った後に、グループ情報管理装置にて加入するグループを指定する場合のグループ加入およびテンポラリ番号の払い出し処理シーケンスを示す。
まず、基本契約番号「０９０−１１１１−…」を持つ通信端末（子ユーザ）は、呼制御装置２０に対してグループ加入手続き要求を行い（ステップＳ３０１）、呼制御装置２０から加入者情報管理装置４０に対してテンポラリ番号払出要求を行う（ステップＳ３０２）。これ以降の加入者情報管理装置４０での処理は、上記図４で示した加入者情報管理装置４０での処理と同様であるが、手順が前後している部分もあるので、再度説明する。テンポラリ番号払出要求は、基本契約番号管理部４２からテンポラリ番号管理部４１に渡され（ステップＳ３０３）、テンポラリ番号の払出が行われる（ステップＳ３０４）。そして、基本契約番号管理部４２にて、テンポラリ番号と基本契約番号のくくりつけが行われる（ステップＳ３０５）。次に、くくりつけを完了した基本契約番号管理部４２から呼制御装置２０に対して、テンポラリ番号払出し完了応答が行われ（ステップＳ３０６）、続いて、呼制御装置２０から通信端末（子ユーザ）１３に対してテンポラリ番号払出し完了応答が行われる（ステップＳ３０７）。一方、呼制御装置２０は、グループ情報管理装置３０に対してグループ加入手続きを要求し（ステップＳ３０８）、グループ情報管理装置３０にてグループ加入手続きを開始する（ステップＳ３０９）。これ以降のグループ情報管理装置３０での処理は、上記図４で示したグループ情報管理装置３０での処理と同様である（ステップＳ３１０）。そして、グループ情報管理装置３０から呼制御装置２０を介して通信端末（子ユーザ）１３に対してグループ加入手続き完了応答が行われる（ステップＳ３１１、Ｓ３１２）。
【００３０】
［発着信処理システム］
次に、図６〜図９を参照して、本発明の実施形態に係るグループ情報管理システムにおけるテンポラリ番号による発着信処理システムについて説明する。
図６は、本発明のグループ情報管理システムにおける発着信処理システムの構成を示すブロック図である。
発着信処理システム３は、テンポラリ番号による発着信処理を行い、発側通信端末（親ユーザ）１１と、着側通信端末１２と、発側呼制御装置２１と、着側呼制御装置２２と、グループ情報管理装置３０と、加入者情報管理装置４０とから構成されている。発側呼制御装置２１、着側呼制御装置２２、グループ情報管理装置３０、および加入者情報管理装置４０は、通信ネットワーク内に配置されている。
【００３１】
発側通信端末１１は、テンポラリ番号「０８０‐３４５６‐…」を持つ。また、基本契約番号「０９０−１１１１…」を知っている。着側通信端末１２は、テンポラリ番号「０８０‐１２３４‐…」を持ち、発側通信端末は着側のテンポラリ番号のみを知る（基本契約番号は知らない）。他の構成については、図３で前述した構成と同様であるので省略する。
【００３２】
図７は、本発明の発着信処理の手順を示すシーケンス図である。
この例は、発側呼制御装置２１から加入者情報管理装置４０を経由せず、直接グループ情報管理装置３０に対して発側および着側テンポラリ番号を送信する。すなわち、発側呼制御装置２１から加入者情報管理装置４０を経由せず、グループ情報管理装置３０に対して、発側および着側テンポラリ番号を同時に送信し、グループ情報管理装置３０にて発着および着側テンポラリ番号からグループＩＤを導出し、グループＩＤの一致判定を行う場合のテンポラリ番号発着信処理シーケンスを示す。
【００３３】
まず、発側通信端末１１は、発側呼制御装置２１に対して着側テンポラリ番号「０８０‐１２３４−…」への発信要求を行う（ステップＳ４０１）。次に、発側呼制御装置２１は、グループ情報管理装置３０に対して発側および着側テンポラリ番号を送信し（ステップＳ４０２）、グループ情報管理装置３０ではそのテンポラリ番号の所属するグループＩＤを検索し、それらのグループＩＤが等しいことを確認し（ステップＳ４０３）、発側グループＩＤ＝着側グループＩＤであることを認識する（ステップＳ４０４）。そして、グループ情報管理装置３０から発側呼制御装置２１に発信可能応答を送信する（ステップＳ４０５）。
【００３４】
次に、発信可能応答を受けた発側呼制御装置２１は、加入者情報管理装置４０に対して着側テンポラリ番号ユーザの在圏情報問い合わせを行い（ステップＳ４０６）、加入者情報管理装置４０は、着側テンポラリ番号から基本契約番号を参照し、着側の在圏情報を認識し（ステップＳ４０７）、着側在圏情報から着側呼制御装置２２に接続要求を行う（ステップＳ４０８）。接続要求を受けた着側呼制御装置２２は、着側通信端末１２に対して一斉呼び出しを行い（ステップＳ４０９）、通信可能であることを確認し、加入者情報管理装置４０に接続応答を返信する（ステップＳ４１０）。接続応答を受けた加入者情報管理装置４０は、発側呼制御装置２１に対して在圏問い合わせ応答を送信する（ステップＳ４１１）。
【００３５】
在圏問い合わせ応答を受信した発側呼制御装置２１は、着側呼制御装置２２に直接接続要求を行い（ステップＳ４１２）、着側呼制御装置２２から着側通信端末１２に接続要求を行う（ステップＳ４１３）。着側通信端末１３ではテンポラリ番号発信であることを認識し（ステップＳ４１４）、着側呼制御装置２２に対して接続応答を行う。着側呼制御装置２２は発側呼制御装置２１に対して接続応答を行い、発側呼制御装置２１から発側通信端末１１に対して接続応答を行う（ステップＳ４１５）。そして通話可能状態となる。
【００３６】
図８は、本発明の発着信処理の手順を示すシーケンス図である。
この例は、発側呼制御装置２１から加入者情報管理装置４０に対して、発側通信端末１１がテンポラリ番号ユーザであるかの判定要求を行い、加入者情報管理装置４０において発側ユーザがテンポラリ番号ユーザであるかを判定し、加入者情報管理装置４０からグループ情報管理装置３０に対してグループＩＤ検索要求をかけ、グループ情報管理装置３０にて発側通信端末１１のテンポラリ番号ユーザ判定を行うシーケンスを示す。
【００３７】
まず、発側通信端末１１からテンポラリ番号への発信を行い（ステップＳ５０１）、発信を受けた発側呼制御装置２１は、テンポラリ番号への発信であることを認識し（ステップＳ５０２）、加入者情報管理装置４０に対して発側基本契約番号および着側テンポラリ番号を送信して、発側テンポラリ番号導出要求を行う（ステップＳ５０３）。
導出要求を受けた加入者情報管理装置４０は、発側基本契約番号から発側テンポラリ番号を導出し、発側通信端末１１がテンポラリ番号ユーザであることを認識する。この際、着側テンポラリ番号から着側在圏情報も取得する（ステップＳ５０４）。
【００３８】
次に、加入者情報管理装置４０は、グループ情報管理装置３０に対して発側および着側テンポラリ番号を送信し、グループＩＤ導出および一致判定処理を要求する（ステップＳ５０５）。
グループ情報管理装置３０では、そのテンポラリ番号の所属するグループＩＤを検索し、それらのグループＩＤが等しいことを確認し（ステップＳ５０６）、発側グループＩＤ＝着側グループＩＤであることを認識する（ステップＳ５０７）。そして、加入者情報管理装置４０に対して発信可能応答を行い（ステップＳ５０８）加入者情報管理装置４０は、着側呼制御装置２２に対して着側在圏情報から着側呼制御装置に接続要求を行う（ステップＳ５０９）。これ以降の説明は、図７で前述した説明と同様であるので省略する。
【００３９】
図９は、本発明の発着信処理の手順を示すシーケンス図である。
この例は、発側呼制御装置２１からテンポラリ番号ユーザの判定要求を受けた加入者情報管理装置４０が、図８で示した例のようにグループ情報管理装置３０に対してグループＩＤ検索要求を送信せずに、−旦発側呼制御装置２１にテンポラリ番号導出応答を返信し、発側呼制御装置２１からグループ情報管理装置３０に対してグループＩＤ検索要求を送信するシーケンスを示す。すなわち、加入者情報装置４０において、発側ユーザがテンポラリ番号ユーザであるかを判定し、その応答を呼制御装置２１に行った後に、呼制御装置２１からグループ情報管理装置３０に対して、グループＩＤ検索要求をかける例である。
【００４０】
まず、発側通信端末１１からテンポラリ番号への発信を行い（ステップＳ６０１）、発信を受けた発側呼制御装置２１は、テンポラリ番号への発信であることを認識し、加入者情報管理装置４０に対して発側基本契約番号を送信して、発側テンポラリ番号導出要求を行う（ステップＳ６０３）。
導出要求を受けた加入者情報管理装置４０は、発側基本契約番号から発側テンポラリ番号を導出し、発側通信端末１１がテンポラリ番号ユーザであることを認識する（ステップＳ６０４）。そして発側呼制御装置２１に対してテンポラリ番号導出応答とともに、テンポラリ番号を返信する（ステップＳ６０５）。
【００４１】
テンポラリ番号導出応答を受けた発側呼制御装置２１は、グループ情報管理装置３０に対して発側テンポラリ番号および着側テンポラリ番号とともにグループＩＤ導出および一致判定処理を要求する（ステップＳ６０６）。これ以降の処理については、図７で前述した説明と同様であるので省略する。
【００４２】
［退会処理システム］
次に、図１０〜図１３を参照して、本発明の実施形態に係るグループ情報管理システムにおけるグループ退会処理システムについて説明する。
図１０は、本発明のグループ情報管理システムにおけるグループ退会処理システムの構成を示すブロック図である。
このグループ退会処理システム４は、子が退会する場合の子によるグループ退会処理を行うシステムであり、子自身が所属するグループ＜Ａ１１１Ｘ＞から退会することでその子のテンポラリ番号が消去される。なお、オプションとしてパスワードが設定されている場合は、追加でパスワードを指定する。その構成としては、図３で前述したグループ加入／テンポラリ番号払出システムとほぼ同様の構成であるので省略する。
【００４３】
図１１は、子が退会する場合の子によるグループ退会処理シーケンスを示す。
まず、通信端末（子ユーザ）１３が呼制御装置２０を介してグループ情報管理装置３０に対してグループ退会手続き要求を行う（ステップＳ７０１、Ｓ７０２）。それを受けたグループ情報管理装置３０は、子ユーザ１３の所属するグループ＜Ａ１１１Ｘ＞を指定し、グループ退会処理を行う。なお、オプションとしてパスワードが設定されている場合は、パスワードを指定する（ステップＳ７０３）。
【００４４】
次に、加入者情報管理装置４０に対してテンポラリ番号利用停止要求を行う（ステップＳ７０４）。それを受けた加入者情報管理装置４０では、テンポラリ番号利用停止処理を行い（ステップＳ７０５）、グループ情報管理装置３０に対してテンポラリ番号利用停止応答を返信する（ステップＳ７０６）。そしてグループ情報管理装置３０にて該当グループＩＤからのテンポラリ番号削除処理を行い（ステップＳ７０７）、呼制御装置２０を介して通信端末１０にグループ退会手続き完了応答を返信する（ステップＳ７０８、Ｓ７０９）。
【００４５】
図１２は、本発明のグループ情報管理システムにおけるグループ退会処理システムの構成を示すブロック図である。
このグループ退会処理システム５は、親が子を一括退会させる場合の親によるグループ退会処理システムであり、親によってグループ＜Ａ１１１Ｘ＞に所属する子をすべて退会させる。その構成としては、図１で前述した新規グループ作成システムとほぼ同様の構成であるので省略する。
【００４６】
図１３は、親が子を一括退会する場合のグループ退会処理シーケンスを示す。
この例は、親が子を一括退会させる場合の親によるグループ退会処理シーケンスを示す。
まず、親１０は呼制御装置２０を介して（ステップＳ８０１）、グループ情報管理装置３０に対して、グループ一括退会手続き要求を行う（ステップＳ８０２）。それを受けたグループ情報管理装置３０では、グループ一括退会手続き要求であることを認識し、一括退会させたいグループ＜A111X＞を指定する（ステップＳ８０３）。次に、発側通信端末が親ユーザであるかどうかの判定を行うために、グループ情報管理装置３０は加入者情報管理装置４０に対して親ユーザ判定要求を行い（ステップＳ８０４）、加入者情報管理装置４０にて親ユーザ判定を行った後（ステップＳ８０５）、加入者情報管理装置４０はグループ情報管理装置３０に対して親ユーザ判定応答を送信する（ステップＳ８０６）。親ユーザ判定応答を受けたグループ情報管理装置３０は、発側通信端末が親ユーザであることを認識しグループ一括退会手続きに進む（ステップＳ８０７）。次に、グループ情報管理装置３０は加入者情報管理装置４０に対して、グループに所属する子のテンポラリ番号利用停止要求を行う（ステップＳ８０８）。それを受けた加入者情報管理装置４０では、テンポラリ番号の利用停止処理を行い（ステップＳ８０９）、グループ情報管理装置３０に対してテンポラリ番号利用停止完了応答を返信する（ステップＳ８１０）。そして、グループ情報管理装置３０にてグループIDからのテンポラリ番号削除処理を行い（ステップＳ８１１）、呼制御装置２０を介して（ステップＳ８１２）通信端末１０にグループ退会手続き完了応答を返信する（ステップＳ８１３）。
【００４７】
以上、新規グループ作成処理、グループ加入／テンポラリ番号払出処理、発着信処理、退会処理の各々を行う実施形態により、グループを新たに設け、所属するグループ内でのみ通信可能とすることで、安全性を高めた通信を実現することができる。
また、テンポラリ番号によるグループ内通信を可能とすることで、個人情報の秘匿性を高めた上でのグループ内通信が自由に行えることになり、通信の利便性も高まる。
【００４８】
以上、本発明の実施形態について説明してきたが、本発明は、これらの実施形態に限定されず、本発明の趣旨を逸脱することなく、種々の変更が可能である。例えば、前述した実施形態においては、新規グループ作成処理、グループ加入／テンポラリ番号払出処理、発着信処理、退会処理の各々について説明したが、これに限定されず、グループ内で通信を行うための全ての処理を含むものとする。
【図面の簡単な説明】
【００４９】
【図１】本発明の実施形態に係る新規グループ作成システムの構成を示すブロック図である。
【図２】新規グループ作成処理の手順を示すシーケンス図である。
【図３】グループ加入／テンポラリ番号払出システムの構成を示すブロック図である。
【図４】グループ加入／テンポラリ番号払出処理の手順を示すシーケンス図である。
【図５】グループ加入／テンポラリ番号払出システムの構成を示すブロック図である。
【図６】テンポラリ番号による発着信システムの構成を示すブロック図である。
【図７】テンポラリ番号による発着信処理の手順を示すシーケンス図である。
【図８】テンポラリ番号による発着信処理の他の手順を示すシーケンス図である。
【図９】テンポラリ番号による発着信処理の他の手順を示すシーケンス図である。
【図１０】グループ退会システムの構成を示すブロック図である。
【図１１】グループ退会処理の手順を示すシーケンス図である。
【図１２】グループ退会システムの他の構成を示すブロック図である。
【図１３】グループ退会処理の他の手順を示すシーケンス図である。
【符号の説明】
【００５０】
１…新規グループ作成システム、２…グループ加入／テンポラリ番号払出システム、３…発着信処理システム、４，５…グループ退会処理システム、１０…通信端末（親ユーザ）、１１…発側通信端末、１２…着側通信端末、１３…通信端末（子ユーザ）、２０…呼制御装置、２１…発側呼制御装置、２２…着側呼制御装置、３０…グループ情報管理装置、４０…加入者情報管理装置、４１…テンポラリ番号管理部、４２…基本契約番号管理部
【図１】
2007221592.tif 000003
【図２】
2007221592.tif 000004
【図３】
2007221592.tif 000005
【図４】
2007221592.tif 000006
【図５】
2007221592.tif 000007
【図６】
2007221592.tif 000008
【図７】
2007221592.tif 000009
【図８】
2007221592.tif 000010
【図９】
2007221592.tif 000011
【図１０】
2007221592.tif 000012
【図１１】
2007221592.tif 000013
【図１２】
2007221592.tif 000014
【図１３】
2007221592.tif 000015